(57)【特許請求の範囲】
【請求項１】
エレベーターの塔内を走行するかごと、
前記かごの室内に空気を送給する加圧ブロアーと前記かごの室内の空気を排出する吸引ブロアーとを含む気圧調整装置と、
吸気した空気に熱交換を行なって排気する空調装置と、
かごの上側及び／又は下側に設けられた整流板と、
を具えたエレベーターであって、
前記かごと前記整流板との間には、前記空調装置によって空調される空調空間が形成されており、
前記気圧調整装置は、前記空調空間で空調された空気を前記加圧ブロアーで前記かごの室内に送給する、
エレベーター。
【請求項２】
前記吸引ブロアーは、前記かごの室内の空気を前記空調空間に排出する、
請求項１に記載のエレベーター。
【請求項３】
前記空調装置は、室外機機能と室内機機能を具備し、前記室外機機能には前記整流板を貫通して塔内側に連通する吸気配管、排気配管及びドレン管が連繋され、前記室内機機能には、前記空調空間内に空調された空気を吸気する空調空間側吸気と、前記空調空間内の空気を排気する空調空間側排気を有する、
請求項１又は請求項２に記載のエレベーター。
【請求項４】
前記整流板は、内面に断熱材が取り付けられている、
請求項１乃至請求項３の何れかに記載のエレベーター。
【発明の詳細な説明】
【技術分野】
【０００１】
本発明は、気圧調整及び空調が可能なかご及び当該かごを有するエレベーターに関するものであり、より具体的には高層・高速エレベーターの気圧調整及び空調を行なうことができるかごに関するものである。
【背景技術】
【０００２】
近年、建物の高層化に伴い、分速数百メートルの速さでかごを昇降させる高層・高速エレベーターが種々提案されている。この種のエレベーターでは、乗員の耳詰まりを緩和する目的でかごに気圧調整装置を設置することがある（たとえば特許文献１参照）。気圧調整装置は、かご内の気密性を高めた上で、走行中にかごと塔内で空気の出入れを行ない、かご内を加減圧するものである。
【０００３】
一方で、エレベーターには、かご内の空調を行なうために、空調装置（エアーコンディショナー）が設置されることがある。
【０００４】
さらに、気圧調整装置が必要なエレベーターは、高層・高速エレベーターであるため、かごの上下に整流板が設置されることもある（たとえば特許文献２参照）。
【先行技術文献】
【特許文献】
【０００５】
【特許文献１】特開平１０−１８２０３９号公報
【特許文献２】特開２０１１−１６２３２３号公報
【発明の概要】
【発明が解決しようとする課題】
【０００６】
かご内の気圧調整装置を具えたエレベーターでは、上記のとおり、走行中にかご内の加減圧が行なわれるため、空調装置を使用しても空調効果は期待できない。
【０００７】
また、通常の空調装置は、かご内と塔内を導通する構成であるから、空調装置自体を気密にする必要があるが、気密な構成にするには空調装置が非常に複雑化してしまう問題がある。
【０００８】
本発明の目的は、空調効率を可及的に高めることができる気圧調整装置及び空調装置を具えたかごを有するエレベーターを提供することである。
【課題を解決するための手段】
【０００９】
本発明のエレベーターは、
エレベーターの塔内を走行するかごと、
前記かごの室内に空気を送給する加圧ブロアーと前記かごの室内の空気を排出する吸引ブロアーとを含む気圧調整装置と、
吸気した空気に熱交換を行なって排気する空調装置と、
かごの上側及び／又は下側に設けられた整流板と、
を具えたエレベーターであって、
前記かごと前記整流板との間には、前記空調装置によって空調される空調空間が形成されており、
前記気圧調整装置は、前記空調空間で空調された空気を前記加圧ブロアーで前記かごの室内に送給する。
【００１０】
前記吸引ブロアーは、前記かごの室内の空気を前記空調空間に排出する。
【００１１】
前記空調装置は、室外機機能と室内機機能を具備し、前記室外機機能には前記整流板を貫通して塔内側に連通する吸気配管、排気配管及びドレン管が連繋され、前記室内機機能には、前記空調空間内に空調された空気を吸気する空調空間側吸気と、前記空調空間内の空気を排気する空調空間側排気を有する構成とすることができる。
【００１２】
前記整流板は、内面に断熱材を取り付けることができる。
【発明の効果】
【００１３】
本発明のエレベーターは、空調装置によってかごと整流板との間に形成された空調空間内の空気を空調し、気圧調整装置によってかご内に送給するようにしている。従って、直接空調を行なうことができない気圧調整されたかご内であっても、空調空間を送給することで空調することができる。
【図面の簡単な説明】
【００１４】
【図１】図１は、整流板内に気圧調整装置及び空調装置を具えるかごの要部説明図である。
【発明を実施するための形態】
【００１５】
以下、図面を参照しながら本発明の実施の形態について説明する。
【００１６】
図１は、エレベーターのかご１０の上側部分を示す説明図である。かご１０は、室内と塔内を隔壁する側面パネル１２と天井となるシーリング１３を具え、シーリング１３の上側に整流板３０が配置されている。整流板３０は、アルミ板などの金属、或いは樹脂板から形成され、図に示すようにかご１０の走行時の空気抵抗を抑えるため流線形や紡錘形など先端が縮径した形状に形成される。整流板３０とシーリング１３との間には、空間４０が形成されている。
【００１７】
本発明は、かご１０の室外に形成され、かご１０と整流板３０とによって囲まれた空間４０を空調空間とし、空調空間４０を空調装置５０によって空調し、当該空調空間４０で空調された空気７０をかご１０の室内１１に送給するようにしている。
【００１８】
空調空間４０は、気密な構造とすることが望まれるが、かご１０を吊るロープや電気ケーブルなどが整流板３０を通して設置、配線等されるため気密構造とすることは困難である。従って、可能な限り気密な空間とすることが望ましい。たとえば、紡錘形や円錐形に整流板３０を形成することで、空調空間４０の気密性はある程度確保できるが、図に示すように切妻屋根に近い形状に整流板３０を設置した場合には、妻側には空調空間４０を塞ぐ壁板を設けることが望ましい。なお、効果は落ちるが、切妻屋根形状の整流板３０の場合に、妻側に壁板を設けない構成とすることもできる。
【００１９】
空調装置５０は、図１に示すように、室内機機能と室外機機能を一体化した装置を例示できる。空調装置５０は、空調空間４０内に配置される。室外機機能には、整流板３０を貫通して塔内２０側に連通する吸気配管５１と、排気配管５２、ドレン管５３が連繋されている。また、室内機機能には、空調空間４０内に空調された空気を吸気する空調空間側吸気５４と、空調空間４０内の空気を排気する空調空間側排気５５を可能としている。
【００２０】
そして、空調装置５０は、吸気配管５１から塔内２０の空気を吸気し、室外機機能により室内機機能を流れる空気の熱交換を行なって、排気配管５２から塔内２０に排気を行なうと共に、熱交換より生じた水分をドレン管５３から排出する。ドレン管５３から排出された水分は、蒸散或いは図示しないタンクに溜めて排水すればよい。
【００２１】
空調装置５０の室内機機能は、空調空間側吸気５４により吸引され,室外機機能により熱交換されて空調された空気を空調空間側排気５５から空調空間４０に排気する。これにより、空調空間４０を空調することができる。
【００２２】
空調空間４０には、図１に示すように、気圧調整装置６０として加圧ブロアー６１と吸引ブロアー６４を具える。加圧ブロアー６１は、電動弁６２を介してかご１０の室内１１に空調空間４０内の空気７０を送給する。また、吸引ブロアー６４は、電動弁６５を介してかご１０の室内１１の空気７１を吸引し、空調空間４０内に放出する。なお、吸引ブロアー６４により吸引された空気７１は、塔内２０に直接排気しても構わない。
【００２３】
気圧調整装置６０は、通常は、かご１０の室内１１の加減圧を行なう装置であるが、本発明では、空調にも気圧調整装置６０を採用する。すなわち、気圧調整が不要な状況であっても、室内１１に空調が必要であれば、空調空間４０を空調装置５０によって空調し、気圧調整装置６０を駆動して、かご１０の室内１１に空調された空気を送給する。これにより、かご１０の室内１１の空調を行なうことができる。
【００２４】
なお、気圧調整装置６０とかご１０の室内１１との間にチャンバー６３，６６を設け、気圧調整装置６０から送給又は吸引される空気７０，７１はチャンバー６３，６６を通過させることで、空気流を整流でき、風切り音の発生を抑えることができる。
【００２５】
然して、かご１０の室内１１に空調が必要な場合、空調装置５０と気圧調整装置６０を作動させる。空調装置５０は、空調空間４０を空調し、気圧調整装置６０により空調された空気をかご１０の室内１１に送給して気圧調整と共に空調を行なうことができる。もちろん、気圧調整装置６０のみを作動させて気圧調整のみを行なうこともできる。
【００２６】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【００２７】
上記実施形態では、かご１０の上側に整流板３０を設置しているが、かご１０の下側にも整流板を設置することができる。そして、かご１０の下側の整流板とかご１０のフロアプレートとの間を空調空間として、空調装置５０及び気圧調整装置６０を配置しても構わない。
【００２８】
また、空調空間４０の断熱性を高めるために、整流板３０の内面に断熱材を取り付けてもよい。
【００２９】
さらに、かご１０と整流板３０によって形成される空間内に仕切板等により気密に近い空調空間４０を形成し、空調装置５０及び気圧調整装置６０を当該空調空間４０に配置する構成としてもよい。
【符号の説明】
【００３０】
１０  かご
３０  整流板
４０  空調空間
５０  空調装置
６０  気圧調整装置
【要約】
【課題】本発明は、空調効率を可及的に高めることができる気圧調整装置及び空調装置を具えたかごを有するエレベーターを提供する。
【解決手段】本発明のエレベーターは、エレベーターの塔内２０を走行するかご１０と、前記かごの室内１１に空気を送給する加圧ブロアー６１と前記かごの室内の空気を排出する吸引ブロアー６４とを含む気圧調整装置６０と、吸気した空気に熱交換を行なって排気する空調装置５０と、かごの上側及び／又は下側に設けられた整流板３０と、を具えたエレベーターであって、前記かごと前記整流板との間には、前記空調装置によって空調される空調空間４０が形成されており、前記気圧調整装置は、前記空調空間で空調された空気を前記加圧ブロアーで前記かごの室内に送給する。
【選択図】図１【図１】
0006897833.tif 000002